(57)【特許請求の範囲】
【請求項１】
扉近傍に設けられた質問器から起動信号に対応した電波を受信し、前記扉の解錠制御に用いる識別情報を含む応答信号に対応した電波を送信する入退室管理用応答器であって、
前記起動信号に対応した電波を受信するための受信部と、
前記応答信号に対応した電波を送信するための送信部と、
外部からの操作を受け付けるためのボタン部と、
前記受信部が前記起動信号に対応した電波を受信していないときに、前記ボタン部が操作された場合は、前記ボタン部の操作の受付を継続して保持する保持部と、
前記受信部が前記起動信号に対応した電波を受信したときに、前記保持部が前記ボタン部の操作の受付を保持している場合は、前記応答信号に対応した電波の送信を前記送信部に指示する制御部と、
を備え、
前記保持部は、前記ボタン部の操作の受付を保持してから当該応答器が所定の距離以上移動した場合に、前記操作の受付を破棄することを特徴とする入退室管理用応答器。
【請求項２】
扉近傍に設けられた質問器から起動信号に対応した電波を受信し、前記扉の解錠制御に用いる識別情報を含む応答信号に対応した電波を送信する入退室管理用応答器であって、
前記起動信号に対応した電波を受信するための受信部と、
前記応答信号に対応した電波を送信するための送信部と、
外部からの操作を受け付けるためのボタン部と、
前記受信部が前記起動信号に対応した電波を受信していないときに、前記ボタン部が操作された場合は、前記ボタン部の操作の受付を継続して保持する保持部と、
前記受信部が前記起動信号に対応した電波を受信したときに、前記保持部が前記ボタン部の操作の受付を保持している場合は、前記応答信号に対応した電波の送信を前記送信部に指示する制御部と、
を備え、
前記保持部は、前記ボタン部の操作の受付を保持してから当該応答器の移動方向が所定の角度以上に変化した場合に、前記操作の受付を破棄することを特徴とする入退室管理用応答器。
【請求項３】
扉近傍に設けられ、起動信号に対応した電波を送信する質問器と、
前記起動信号に対応した電波を受信し、前記扉の解錠制御に用いる識別情報を含む応答信号に対応した電波を送信する応答器と、
を備え、
前記応答器は、
前記起動信号に対応した電波を受信するための受信部と、
前記応答信号に対応した電波を送信するための送信部と、
外部からの操作を受け付けるためのボタン部と、
前記受信部が前記起動信号に対応した電波を受信していないときに、前記ボタン部が操作された場合は、前記ボタン部の操作の受付を継続して保持する保持部と、
前記受信部が前記起動信号に対応した電波を受信したときに、前記保持部が前記ボタン部の操作の受付を保持している場合は、前記応答信号に対応した電波の送信を前記送信部に指示する制御部と、
を備え、
前記保持部は、前記ボタン部の操作の受付を保持してから前記応答器が所定の距離以上移動した場合に、前記操作の受付を破棄することを特徴とする入退室管理システム。
【請求項４】
扉近傍に設けられ、起動信号に対応した電波を送信する質問器と、
前記起動信号に対応した電波を受信し、前記扉の解錠制御に用いる識別情報を含む応答信号に対応した電波を送信する応答器と、
を備え、
前記応答器は、
前記起動信号に対応した電波を受信するための受信部と、
前記応答信号に対応した電波を送信するための送信部と、
外部からの操作を受け付けるためのボタン部と、
前記受信部が前記起動信号に対応した電波を受信していないときに、前記ボタン部が操作された場合は、前記ボタン部の操作の受付を継続して保持する保持部と、
前記受信部が前記起動信号に対応した電波を受信したときに、前記保持部が前記ボタン部の操作の受付を保持している場合は、前記応答信号に対応した電波の送信を前記送信部に指示する制御部と、
を備え、
前記保持部は、前記ボタン部の操作の受付を保持してから前記応答器の移動方向が所定の角度以上に変化した場合に、前記操作の受付を破棄することを特徴とする入退室管理システム。
【発明の詳細な説明】
【技術分野】
【０００１】
この発明は、入退室管理用応答器及びこれを用いた入退室管理システムに関するものである。
【背景技術】
【０００２】
入退室管理システムにおいては、扉近傍の壁に、質問器が設けられる。質問器は、ＬＦ帯域の起動信号を送信する。この起動信号となるＬＦ電波は、質問器を中心として伝播される。ＬＦ電波の伝播範囲外で応答器が起動信号を受信していない場合、通行を許可された社員等が行う応答器のボタン操作は破棄される。これに対し、ＬＦ電波の伝播範囲内で応答器が起動信号を受信しているときに、応答器のボタン操作がなされた場合、応答器がＵＨＦ帯域の応答信号を送信する。
【０００３】
この応答信号は、質問器に受信される。この応答信号に含まれた識別情報（ＩＤ番号）に基づいて、個人認証が行われる。この個人認証の結果に基づいて、入退室制御が行われる。個人認証により通行が許可されると、扉が解錠する（例えば、特許文献１参照）。
【先行技術文献】
【特許文献】
【０００４】
【特許文献１】特開２００９−２０５２０５号公報
【発明の概要】
【発明が解決しようとする課題】
【０００５】
しかしながら、ＬＦ電波の伝播範囲は、質問器を中心として半径１〜２ｍ程度である。このため、多くの利用者は、応答器のボタンを操作する際、扉近傍でいったん立ち止まる必要がある。
【０００６】
この発明は、上述のような課題を解決するためになされたもので、その目的は、扉近傍で立ち止まらなくても扉を解錠することができる入退室管理用応答器及びこれを用いた入退室管理システムを提供することである。
【課題を解決するための手段】
【０００７】
この発明に係る入退室管理用応答器は、扉近傍に設けられた質問器から起動信号に対応した電波を受信し、前記扉の解錠制御に用いる識別情報を含む応答信号に対応した電波を送信する入退室管理用応答器であって、前記起動信号に対応した電波を受信するための受信部と、前記応答信号に対応した電波を送信するための送信部と、外部からの操作を受け付けるためのボタン部と、前記受信部が前記起動信号に対応した電波を受信していないときに、前記ボタン部が操作された場合は、前記ボタン部の操作の受付を継続して保持する保持部と、前記受信部が前記起動信号に対応した電波を受信したときに、前記保持部が前記ボタン部の操作の受付を保持している場合は、前記応答信号に対応した電波の送信を前記送信部に指示する制御部と、を備え、前記保持部は、前記ボタン部の操作の受付を保持してから当該応答器が所定の距離以上移動した場合に、前記操作の受付を破棄するものである。
この発明に係る入退室管理用応答器は、扉近傍に設けられた質問器から起動信号に対応した電波を受信し、前記扉の解錠制御に用いる識別情報を含む応答信号に対応した電波を送信する入退室管理用応答器であって、前記起動信号に対応した電波を受信するための受信部と、前記応答信号に対応した電波を送信するための送信部と、外部からの操作を受け付けるためのボタン部と、前記受信部が前記起動信号に対応した電波を受信していないときに、前記ボタン部が操作された場合は、前記ボタン部の操作の受付を継続して保持する保持部と、前記受信部が前記起動信号に対応した電波を受信したときに、前記保持部が前記ボタン部の操作の受付を保持している場合は、前記応答信号に対応した電波の送信を前記送信部に指示する制御部と、を備え、前記保持部は、前記ボタン部の操作の受付を保持してから当該応答器の移動方向が所定の角度以上に変化した場合に、前記操作の受付を破棄するものである。
【０００８】
この発明に係る入退室管理システムは、扉近傍に設けられ、起動信号に対応した電波を送信する質問器と、前記起動信号に対応した電波を受信し、前記扉の解錠制御に用いる識別情報を含む応答信号に対応した電波を送信する応答器と、を備え、前記起動信号に対応した電波を受信するための受信部と、前記応答信号に対応した電波を送信するための送信部と、外部からの操作を受け付けるためのボタン部と、前記受信部が前記起動信号に対応した電波を受信していないときに、前記ボタン部が操作された場合は、前記ボタン部の操作の受付を継続して保持する保持部と、前記受信部が前記起動信号に対応した電波を受信したときに、前記保持部が前記ボタン部の操作の受付を保持している場合は、前記応答信号に対応した電波の送信を前記送信部に指示する制御部と、を備え、前記保持部は、前記ボタン部の操作の受付を保持してから前記応答器が所定の距離以上移動した場合に、前記操作の受付を破棄するものである。
この発明に係る入退室管理システムは、扉近傍に設けられ、起動信号に対応した電波を送信する質問器と、前記起動信号に対応した電波を受信し、前記扉の解錠制御に用いる識別情報を含む応答信号に対応した電波を送信する応答器と、を備え、前記応答器は、前記起動信号に対応した電波を受信するための受信部と、前記応答信号に対応した電波を送信するための送信部と、外部からの操作を受け付けるためのボタン部と、前記受信部が前記起動信号に対応した電波を受信していないときに、前記ボタン部が操作された場合は、前記ボタン部の操作の受付を継続して保持する保持部と、前記受信部が前記起動信号に対応した電波を受信したときに、前記保持部が前記ボタン部の操作の受付を保持している場合は、前記応答信号に対応した電波の送信を前記送信部に指示する制御部と、を備え、前記保持部は、前記ボタン部の操作の受付を保持してから前記応答器の移動方向が所定の角度以上に変化した場合に、前記操作の受付を破棄するものである。
【発明の効果】
【０００９】
これらの発明によれば、扉近傍で立ち止まらなくても扉を解錠することができる。
【図面の簡単な説明】
【００１０】
【図１】この発明の実施の形態１における入退室管理システムのブロック図である。
【図２】この発明の実施の形態１における入退室管理システムに利用される応答器の動作を説明するためのフローチャートである。
【図３】この発明の実施の形態１における入退室管理システムを利用した扉近傍の側面図である。
【発明を実施するための形態】
【００１１】
この発明を実施するための形態について添付の図面に従って説明する。なお、各図中、同一又は相当する部分には同一の符号を付しており、その重複説明は適宜に簡略化ないし省略する。
【００１２】
実施の形態１．
図１はこの発明の実施の形態１における入退室管理システムのブロック図である。
図１において、１は部屋の出入口である。出入口１には、扉２が設けられる。扉２には、電気錠３が設けられる。
【００１３】
出入口１近傍には、電気錠制御盤４が設けられる。電気錠制御盤４は、電気錠３に接続される。電気錠制御盤４近傍には、質問器５が設けられる。質問器５は、電気錠制御盤４に接続される。出入口１の通行を許可された利用者は、応答器６を携帯する。
【００１４】
次に、電気錠制御盤４を説明する。
電気錠制御盤４は、データ部４ａ、制御部４ｂを備える。データ部４ａは、電気錠３を解錠するか否かを判断するためのデータを記憶する機能を備える。制御部４ｂは、電気錠３の施解錠を制御する機能を備える。
【００１５】
次に、質問器５を説明する。
質問器５は、例えば、ＲＦＩＤ装置（Ｒａｄｉｏ  Ｆｒｅｑｕｅｎｃｙ  Ｉｄｅｎｔｉｆｉｃａｔｉｎ  装置：無線式ＩＤ装置）からなる。質問器５は、ＬＦ送信部５ａ、ＵＨＦ受信部５ｂ、表示部５ｃ、制御部５ｄを備える。
【００１６】
ＬＦ送信部５ａは、応答器６に対する起動信号に対応したＬＦ電波（長波帯の電波）を所定の周期で送信する機能を備える。ＵＨＦ受信部５ｂは、応答器６の応答信号であるＵＨＦ電波（極超短波帯の電波）を受信する機能を備える。表示部５ｃは、電波の送受信状況や扉２の施解錠状態を表示する機能を備える。制御部５ｄは、質問器５全体の動作判断を行う機能を備える。
【００１７】
次に、応答器６を説明する。
応答器６は、例えば、ＲＦＩＤタグ（Ｒａｄｉｏ  Ｆｒｅｑｕｅｎｃｙ  Ｉｄｅｎｔｉｆｉｃａｔｉｎ  装置：無線式ＩＤタグ）からなる。応答器６は、ＬＦ受信部６ａ、ＵＨＦ送信部６ｂ、ボタン部６ｃ、制御部６ｄ、電池６ｅを備える。
【００１８】
ＬＦ受信部６ａは、質問器５から起動信号であるＬＦ電波を受信する機能を備える。ＵＨＦ送信部６ｂは、当該応答器６の識別情報（ＩＤ番号）を含む応答信号に対応したＵＨＦ電波を送信する機能を備える。ボタン部６ｃは、外部からの操作を受け付ける機能を備える。
【００１９】
制御部６ｄは、応答器６全体の動作判断を行う機能を備える。制御部６ｄ内には、保持部６ｆが設けられる。保持部６ｆは、ＬＦ受信部６ａが起動信号に対応したＬＦ電波を受信していないときに、ボタン部６ｃが操作された場合、ボタン部６ｃの操作の受付を一定時間が経過するまで保持する機能を備える。電池６ｅは、応答器６に電力を供給する機能を備える。
【００２０】
次に、図２を用いて、応答器６の動作を説明する。
図２はこの発明の実施の形態１における入退室管理システムに利用される応答器の動作を説明するためのフローチャートである。
【００２１】
ステップＳ１では、応答器６は、ボタン部６ｃの押圧による割り込み操作がなされたか否かを判定する。割り込み操作がなされるまで、当該判定が繰り返される。割り込み操作がなされると、ステップＳ２に進む。
【００２２】
ステップＳ２では、応答器６は、制御部６ｄを起動する。その後、ステップＳ３に進み、制御部６ｄは、ボタン部６ｃの操作の受付処理を行い、当該受付処理を保持部６ｆに記憶させる。その後、ステップＳ４に進み、応答器６は、ＬＦ受信部６ａが起動信号に対応したＬＦ電波を受信しているか否かを判定する。
【００２３】
ＬＦ受信部６ａが起動信号に対応したＬＦ電波を受信している場合は、ステップＳ５に進む。ステップＳ５では、制御部６ｄは、ＵＨＦ送信部６ｂに対し、応答信号に対応したＵＨＦ電波の送信を指示する。これにより、応答器６の動作が終了する。
【００２４】
これに対し、ステップＳ４でＬＦ受信部６ａが起動信号に対応したＬＦ電波を受信していない場合は、ステップＳ６に進む。ステップＳ６では、制御部６ｄは、ボタン部６ｃの操作を受付処理してから一定時間が経過したか否かを判定する。
【００２５】
ボタン部６ｃの操作を受付処理してから一定時間が経過していない場合は、ステップＳ４に戻る。これに対し、ボタン部６ｃの操作を受付処理してから一定時間が経過した場合は、応答器６の動作が終了する。このとき、保持部６ｆに保持されていた受付処理は破棄される。
【００２６】
次に、図３を用いて、扉２の施解錠制御を説明する。
図３はこの発明の実施の形態１における入退室管理システムを利用した扉近傍の側面図である。
【００２７】
図３においては、７はＬＦ電波範囲である。ＬＦ電波範囲７は、起動信号に対応したＬＦ電波の伝播範囲である。ＬＦ電波範囲７は、質問器５のＬＦ送信部５ａを中心として半径１〜２ｍの範囲である。ＬＦ電波範囲７内で応答器６のボタン操作をするためには、利用者は、扉２近くでいったん立ち止まる必要がある。
【００２８】
しかしながら、本実施の形態においては、応答器６のボタン部６ｃの操作が操作されてから一定時間が経過するまで、ボタン部６ｃの操作の受付は継続して保持される。このため、出入口１を通行する意志のある利用者は、扉２に向かって歩きながら、ＬＦ電波範囲７外のＡ地点で、応答器６のボタン部６ｃを操作すればよい。
【００２９】
その後、利用者が一定時間内にＬＦ電波範囲７内のＢ地点まで移動した時点で、応答器６のＬＦ受信部６ａが起動信号に対応したＬＦ電波を受信する。この受信によって、応答器６の制御部６ｄは、ＵＨＦ送信部６ｂに対し、応答信号に対応したＵＨＦ電波の送信を指示する。この指示によって、応答器６のＵＨＦ送信部６ｂは、応答信号に対応したＵＨＦ電波を自動送信する。
【００３０】
この応答信号は、質問器５のＵＨＦ受信部５ｂに受信される。この受信により、質問器５の制御部５ｄは、応答信号に含まれた識別情報（ＩＤ番号）を電気錠制御盤４に出力する。電気錠制御盤４の制御部４ｂは、データ部４ａに記憶されたデータと識別情報とを照合する。
【００３１】
照合結果により、個人認証が行われる。利用者が認証されなかった場合、電気錠制御盤４の制御部４ｂは、電気錠３の施錠状態を維持する。これに対し、利用者が認証された場合、電気錠制御盤４の制御部４ｂは、電気錠３に解錠指示を出力する。この解錠指示により、電気錠３は扉２を解錠する。このような扉２の施解錠制御は、利用者が扉２近傍に到着するまでに完了する。
【００３２】
以上で説明した実施の形態１によれば、応答器６のＬＦ受信部６ａが起動信号に対応したＬＦ電波を受信していないときに、ボタン部６ｃが操作された場合は、ボタン部６ｃの操作の受付が保持される。その後、応答器６のＬＦ受信部６ａが起動信号に対応したＬＦ電波を受信したときに、当該操作の受付が保持されている場合は、識別情報を含む応答信号に対応したＵＨＦ電波がＵＨＦ送信部６ｂから送信される。
【００３３】
このため、利用者は、扉２の数メートル手前で歩行しながら、応答器６のボタン部６ｃを操作すれば、扉２を解錠することができる。すなわち、利用者は、扉２近傍で立ち止まらなくても、扉２を解錠することができる。これにより、利用者は、出入口１を円滑に通行することができる。
【００３４】
なお、実施の形態１においては、応答器６のボタン部６ｃの操作の受付が保持されてから一定時間経過した場合に、当該操作の受付が破棄される。しかしながら、当該操作の受付が破棄される条件を、一定時間の経過に限定する必要はない。
【００３５】
例えば、応答器６のボタン部６ｃの操作の受付が保持されてから応答器６が所定の距離以上移動した場合に、当該操作の受付を破棄してもよい。また、応答器６のボタン部６ｃの操作の受付が保持されてから応答器６の移動方向が所定の角度以上に変化した場合に、当該操作の受付を破棄してもよい。
【００３６】
これらの場合、利用者の通行意志とは関係なく応答器６のボタン部６ｃが誤操作された場合であっても、応答器６のボタン部６ｃの操作受付がいつまでも保持されることを防止できる。
【００３７】
また、図２のステップＳ３の後処理として、応答器６の制御部６ｄの起動を終了させ、ステップＳ４の後処理として、応答器６の制御部６ｄを起動させてもよい。この場合、電池６ｅの寿命を延ばすことができる。
【符号の説明】
【００３８】
１  出入口
２  扉
３  電気錠
４  電気錠制御盤
４ａ  データ部
４ｂ  制御部
５  質問器
５ａ  ＬＦ送信部
５ｂ  ＵＨＦ受信部
５ｃ  表示部
５ｄ  制御部
６  応答器
６ａ  ＬＦ受信部
６ｂ  ＵＨＦ送信部
６ｃ  ボタン部
６ｄ  制御部
６ｅ  電池
６ｆ  保持部
７  ＬＦ電波範囲
【図１】
0005578063.tif 000002
【図２】
0005578063.tif 000003
【図３】
0005578063.tif 000004